(57)【要約】【課題】従来の市販されているテニス用ラケットのガット糸の展張り方法は単線による展張り方法である為、所要の張力でガット糸を張っていても打球により生じるエネルギーはガット面で吸収されていた。更に凹凸面も少ないため、反発性能、コントロール性能、スピン性能共に悪く、また、腕や肩に衝撃を与え長時間ゲームを楽しむことが出来なかった。更に、従来のラケットはガット糸がゆるんだ場合、素人はその場で展張りする事は不可能であった。専門職の人に依頼するしかなかった。以上の諸問題を解決したラケットを提供することが必要である。【解決手段】本発明により上記欠点は、複数のガット糸に縒りを掛けた展張り方法を特徴とするラケット１ａ及びラケット１ｂにより達成された。更に、ラケット内側にフックを装備することにより、短時間で展張りすることを可能にしたのを特徴とするラケット１ｃにより達成された。【選択図】        図１
2005328884.tif 000002
【特許請求の範囲】
【請求項１】
２本またはそれ以上のガット糸に縒りを掛けて該ガット糸を同一挿通孔に
通したことを特徴とするガットの展張り方法。
【請求項２】
２本又はそれ以上のガット意図によりをかけて害ガット意図を別々の差ツウ穴
に通したことを特徴とするガットの展張り方法。
【請求項３】
挿通孔の端部で２本またはそれ以上のガット糸に縒りを掛け該ガット糸と
ガット糸の間を直交する他の複数の縒りの掛かったガット糸を通したことを
特徴とするガット糸の展張り方法。
【請求項４】
挿通孔と挿通孔の中間部で２本またはそれ以上（以下「複数」と表現する）
のガット糸に縒りを掛けて該ガット糸とガット糸の間を直交する他の複数の
縒りの掛かったガット糸を通したことを特徴とするガット糸の展張り方法。
【請求項５】
フレームの断面を凹型とし該挿通孔にガット糸を展張りするリング状の部
材を設けたことを特徴とするガット糸の展張り方法。
【請求項６】
２本またはそれ以上のガット糸に縒りを掛けて該ガット糸を挿通孔に通すことなく、挿通孔に装備されたフックに掛けることを特徴とするガットの展張り方法。
【発明の詳細な説明】
【技術分野】
【０００１】
本発明は、ラケットのガット糸の展張り方法に関する発明である。
【背景技術】
【０００２】
従来のガット糸の展張り方法の技術は、１本のガット糸による展張り方法
である為、所要の張力でガットを張っていても打球により生じるエネルギー
はガット面で吸収されていた。
【０００３】
この改善策として、複数のガット糸に縒りを掛けたガットの展張り方法を
発案した。
【特許文献１】特開平７−２８９６６７号公報
【特許文献２】特開平７−３９６０８号公報
【特許文献３】特開平８−３３７４１号公報
【特許文献４】特開平８−２４３７２号公報
【発明の開示】
【発明が解決しようとする課題】
【０００４】
従来の方法と比較して、複数のガット糸を縒ることによりガット面の凹凸
が多くなり、反発性能、コントロール性能、スピン性能を向上させる。また、
ガット面の展張りも強固になり、更に上記のそれぞれの性能を向上させる。
従って本発明の課題は、従来技術の欠点を克服した複数のガット糸に縒りを
掛けて展張りしたラケットを提供することである。
【０００５】
また、従来の展張り方法はガット糸を挿通孔に必ず通す必要があり展張りに多大な時間を要した。更に本発明の課題は、従来技術の欠点を克服するためラケットの内側にフックを装備し、該フックにガット糸を掛けて展張りしたラケットを提供することである。
【課題を解決するための手段】
【０００６】
上記目的を解決するため、本発明はフレーム外周部に凹型断面のフレーム
を採用し、リング状部材を挿通孔外側に取り付けることにより複数のガット
糸を強く縒ることのできる構造とした。該リング状部材を採用する事により、
専用装置で締める必要がなく、カギ型ハッカーで、素人でも簡単に素早く複
数のガット糸を展張りすることが可能である。また、ラケットの内側にフッ
クを装備することにより、ガット糸を挿通孔に通すことなく、ガット糸をフ
ックに掛けることで展張りすることが可能である。
【発明の効果】
【０００７】
本発明は以上に説明したように構成されているので、以下に記載される効
果が期待できる。
【０００８】
本発明による縒りの掛かった複数のガット糸展張り方法（図４）は、従来
の１本のガット糸展張り方法と比較してガット面の凹凸が多く打球による反
発性能、コントロール性能、スピン性能が向上する。
【０００９】
更に、本発明は複数のガット糸に縒りを掛けている分だけ、エネルギー蓄
積量は従来の単線展張りのガット糸の伸びによるものと比較して、腕や肩に
それほど衝撃を与えないので長時間ゲームを楽しむことが出来る。
【００１０】
更に、本発明はガット糸の張り具合をカギ状ハッカーで素人でも簡単に場
所を選ばずどこでも強くしたり弱めたりする事が可能である。
【００１１】
更に、ラケットの内側にフックを装備することにより、ガット糸を挿通孔に通すことなく、短時間に展張りすることが可能である。
【発明を実施するための最良の形態】
【００１２】
以下に添付図面を参照して、更に説明するが、本発明はこれに限定される
ものではない。
【実施例１】
【００１３】
図１はラケット構造図を示し、ラケットのフレーム５，ガット糸縦方向２，
ガット糸横方向３とリング状部材４とから構成されている。ガット糸２，３
は１本の線で簡略化して書いてあるが、図２に示す様にそれぞれ複数のガッ
ト糸に縒りを掛けている。
【実施例２】
【００１４】
図２は縒りの掛かったガット糸３ａ、３ｂの端部にリング状部材４が取り
付けられた状態を示す。また、その側部に配置したカギ状ハッカー６をリン
グ状部材４に引っかけ、複数のガット糸に縒りを掛けることが可能である。
【実施例３】
【００１５】
図３はラケットフレームの断面７を示す。断面部にはガット糸を通す挿通
孔８が設けられている。
【実施例４】
【００１６】
図４は請求項１及び請求項２の２本またはそれ以上のガット糸に縒りを掛
けて該ガット糸を同一挿通孔に通した状態及び、別々の挿通孔に通した状態
を示す。また、図４は縦方法のガット糸と横方向のガット糸の直交する状態
も示す。
【実施例５】
【００１７】
図５は複数の縒りの掛かったガット糸が斜め方向に配列したラケット構造
図を示す。
【実施例６】
【００１８】
図６は複数の縒りの掛かったガット糸（簡略化のため単線でガット糸を示
しているが図7の如く複線である）がラケット内面に装備されたフック９
に掛けられたラケット構造図を示す。
【実施例７】
【００１９】
図７はガット糸３ａ、３ｂとラケット内側に装備したフック９とカギ状ハ
ッカー６の関係を示す。
【図面の簡単な説明】
【００２０】
【図１】ラケット構造図  その１
【図２】リングとガット糸とカギ状ハッカー
【図３】ラケットフレーム断面図
【図４】ガット糸配置図
【図５】ラケット構造図  その２
【図６】ラケット構造図  その３
【図７】フック付リングとガット糸とカギ状ハッカー
【符号の説明】
【００２１】
１ａ  ラケット全体図（ガット糸：縦、横方向）
１ｂ  ラケット全体図（ガット糸：斜め方向）
１ｃ  ラケット全体図（ラケット内側にフックを装備したもの）
２  ガット糸（縦方向）
３  ガット糸（横方向）
３ａ  ガット糸その１
３ｂ  ガット糸その２
４  リング状部材
５  フレーム
６  カギ状ハッカー
７  フレーム断面
８  挿通孔
９  フック付リング
【図１】
2005328884.tif 000003
【図２】
2005328884.tif 000004
【図３】
2005328884.tif 000005
【図４】
2005328884.tif 000006
【図５】
2005328884.tif 000007
【図６】
2005328884.tif 000008
【図７】
2005328884.tif 000009